(57)【要約】【課題】陳列棚の各棚段に陳列される複数種類の商品について、棚段ごとに棚割に従った１枚のプライスカードを生成することにある。【解決手段】本発明は、陳列棚に各棚段に装着されるプライスカードストリップの生成装置であって、陳列棚に係る棚割データファイルを取得する棚割データファイル取得部２ａと、棚割データファイルに基づいて、陳列棚の各棚段に装着されるストリップにおける複数のプライスカードの印刷位置を演算する印刷位置演算部２ｂと、印刷位置に基づいてプライスカードストリップの印刷イメージファイルを生成する印刷イメージファイル生成部２ｃとを備えている。【選択図】図１
2017059118.tif 000002
【特許請求の範囲】
【請求項１】
陳列棚に各棚段に装着されるプライスカードストリップの生成装置であって、
上記陳列棚に係る棚割データファイルを取得する棚割データファイル取得部と、
上記棚割データファイルに基づいて、上記陳列棚の各棚段に装着されるストリップにおける複数のプライスカードの印刷位置を演算する印刷位置演算部と、
上記印刷位置に基づいて、上記プライスカードストリップの印刷イメージファイルを生成する印刷イメージファイル生成部と、を備えた
プライスカードストリップ生成装置。
【請求項２】
陳列棚に各棚段に装着されるプライスカードストリップの生成装置であって、
上記陳列棚に係る棚割データファイルを生成する棚割データファイル生成部と、
上記棚割データファイルに基づいて、上記陳列棚の各棚段に装着されるストリップにおける複数のプライスカードの印刷位置を演算する印刷位置演算部と、
上記印刷位置に基づいて、上記プライスカードストリップの印刷イメージファイルを生成する印刷イメージファイル生成部と、を備えた
プライスカードストリップ生成装置。
【請求項３】
上記印刷位置演算部は、ｎを自然数としたとき、上記陳列棚の一の棚段に第１の商品から第ｎの商品までのｎ個の商品が陳列される場合には、上記第１の商品に係るプライスカードは、上記ストリップの左端を印刷開始位置とし、上記第ｎの商品に係るプライスカードは、第ｎ−１の商品の印刷開始位置に第ｎ−１の商品の幅と仕切り板の幅との和だけ離れた位置を印刷開始位置する
請求項１又は請求項２に記載のプライスカードストリップ生成装置。
【請求項４】
上記印刷位置演算部は、上記第１の商品から第ｎの商品の幅のうちの最小値が上記プライスカードの幅よりも大きい場合には、上記プライスカードのサイズを縮小する
請求項１乃至請求項３のいずれか１項に記載のプライスカードストリップ生成装置。
【請求項５】
請求項１乃至請求項４のいずれかに記載のプライスカードストリップ生成装置と、
上記印刷イメージファイルに基づいて上記プライスカードストリップを印刷する印刷装置と、を有するプライスカードストリップ生成システム。
【請求項６】
陳列棚に各棚段に装着されるプライスカードストリップの生成方法であって、
上記陳列棚に係る棚割データファイルを取得する第１のステップと、
上記棚割データファイルに基づいて、上記陳列棚の各棚段に装着されるストリップにおける複数のプライスカードの印刷位置を演算する第２のステップと、
上記印刷位置に基づいて、上記プライスカードストリップの印刷イメージファイルを生成する第３のステップと、を有する
プライスカードストリップ生成方法。
【請求項７】
上記第２のステップでは、ｎを自然数としたとき、上記陳列棚の一の棚段に第１の商品から第ｎの商品までのｎ個の商品が陳列される場合には、上記第１の商品に係るプライスカードは、上記ストリップの左端を印刷開始位置とし、上記第ｎの商品に係るプライスカードは、第ｎ−１の商品の印刷開始位置に第ｎ−１の商品の幅と仕切り板の幅との和だけ離れた位置を印刷開始位置する
請求項６に記載のプライスカードストリップ生成方法。
【請求項８】
上記第２のステップでは、上記第１の商品から第ｎの商品の幅のうちの最小値が上記プライスカードの幅よりも大きい場合には、上記プライスカードのサイズを縮小する
請求項６又は請求項７に記載のプライスカードストリップ生成方法。
【請求項９】
コンピュータが、
陳列棚に係る棚割データファイルを取得する棚割データファイル取得部と、
上記棚割データファイルに基づいて、上記陳列棚の各棚段に装着されるストリップにおける複数のプライスカードの印刷位置を演算する印刷位置演算部と、
上記印刷位置に基づいて、プライスカードストリップの印刷イメージファイルを生成する印刷イメージファイル生成部と、して機能する
プログラム。
【請求項１０】
コンピュータが、
陳列棚に係る棚割データファイルを生成する棚割データファイル生成部と、
上記棚割データファイルに基づいて、上記陳列棚の各棚段に装着されるストリップにおける複数のプライスカードの印刷位置を演算する印刷位置演算部と、
上記印刷位置に基づいて、プライスカードストリップの印刷イメージファイルを生成する印刷イメージファイル生成部と、して機能する
プログラム。
【請求項１１】
上記印刷位置演算部は、ｎを自然数としたとき、上記陳列棚の一の棚段に第１の商品から第ｎの商品までのｎ個の商品が陳列される場合には、上記第１の商品に係るプライスカードは、上記ストリップの左端を印刷開始位置とし、上記第ｎの商品に係るプライスカードは、第ｎ−１の商品の印刷開始位置に第ｎ−１の商品の幅と仕切り板の幅との和だけ離れた位置を印刷開始位置する
請求項９又は請求項１０に記載のプログラム。
【請求項１２】
上記印刷位置演算部は、上記第１の商品から第ｎの商品の幅のうちの最小値が上記プライスカードの幅よりも大きい場合には、上記プライスカードのサイズを縮小する
請求項９乃至請求項１１のいずれか１項に記載のプログラム。
【発明の詳細な説明】
【技術分野】
【０００１】
本発明は、陳列棚の各棚段に陳列される複数種類の商品について、棚段ごとにプライスカードストリップを生成するプライスカードストリップ生成装置、プライスカードストリップ生成方法、プライスカードストリップ生成システム、及びプログラムに関する。
【背景技術】
【０００２】
従来、スーパーマーケットやドラッグストアの陳列棚のプライスカードは従来１つの商品に１つ印刷して、それぞれの陳列位置の前のレールに取り付けられていた。
【０００３】
従来の陳列の手順は、一般的には次のようになる。先ず、第１に、棚割図で示された棚の左端の商品を探し、棚割図が示す棚の上に指示されたフェイシング（横に並べた商品フェイスの数）と同じ数の商品を横に手前一列のみ並べる。第２に、その右に仕切板を設置する。第３に、この第１、第２の作業を繰り返し、棚割図にある全ての商品を手前一列のみ並べる。第４に、残りの商品を陳列する。そして、第５に、プライスカードを正しい位置（通常は陳列商品の左端にプライスカードの左端をあわせる）に取り付ける。
【０００４】
このような陳列の際に用いられる棚割については、陳列棚への商品の陳列方法に係る情報である棚割の情報を管理し、棚割の前後における店舗割付および棚割パターンの情報に基づいて、陳列対象の商品の差分を抽出し、差分に基づいて棚替の際の指示情報を作成する棚割管理システムが提案されている（例えば、特許文献１参照）。
【０００５】
また、棚段等に陳列する商品群の少なくとも一部が複数の候補から選択可能となっている棚割案を、販売店の各店舗について一括で作成する棚割支援方法も提案されている（例えば、特許文献２参照）。
【先行技術文献】
【特許文献】
【０００６】
【特許文献１】特開２０１４−１４６１９０号公報
【特許文献２】特開２００８−２９９７６８号公報
【発明の概要】
【発明が解決しようとする課題】
【０００７】
しかしながら、前述した従来の方法では、左から順に陳列位置を決めていくので、商品を探さなくてはならない。欠品しているときは仮の設置をしておくしかなく、欠品商品入荷後に陳列位置の微調整が必要になることがある。
【０００８】
また、従来の方法では、作業者が勝手に作業を簡略化して計画通りの棚割にならないことが発生しがちである。例えば、陳列変更作業時点で商品在庫数が多い場合、指示されたフェイシングを勝手に増やして在庫品が棚にすべて並べられてしまうことがある。その場合、本来陳列しなくてはならない商品の陳列スペースがなくなってしまうため、その時点で未入荷且つ未在庫の商品は、品揃えから外されてしまう危険性が高い。また、陳列変更作業は商品の入れ替えが伴うが、取扱い中止商品は売場から撤去され、値下げ処分や返品処理などの作業が必要になる。この作業をやりたくないがために、取扱い中止の指示を無視してそのまま陳列されていることも起こりがちである。
【０００９】
また、従来は、いくつかの大きさのプライスカードを用意しているものの、一部は、隣の商品のプライスカードに重なってしまう例がある。また、サイズの異なるプライスカードを陳列順に印刷することはできないため、プライスカードの大きさを変えるとプライスカードを貼付する作業に必要以上に時間がかかっていた。
【００１０】
本発明は、このような課題に鑑みてなされたものであり、その目的とするところは、陳列棚の各段に陳列される複数種類の商品について、棚段ごとに棚割に従ったプライスカードを生成することにある。
【課題を解決するための手段】
【００１１】
上記課題を解決するために、本発明の第１の態様に係るプライスカードストリップ生成装置は、陳列棚に各棚段に装着されるプライスカードストリップの生成装置であって、上記陳列棚に係る棚割データファイルを取得する棚割データファイル取得部と、上記棚割データファイルに基づいて、上記陳列棚の各棚段に装着されるストリップにおける複数のプライスカードの印刷位置を演算する印刷位置演算部と、上記印刷位置に基づいて、上記プライスカードストリップの印刷イメージファイルを生成する印刷イメージファイル生成部とを備えている。
【００１２】
本発明の第２の態様に係るプライスカードストリップ生成装置は、陳列棚に各棚段に装着されるプライスカードストリップの生成装置であって、上記陳列棚に係る棚割データファイルを生成する棚割データファイル生成部と、上記棚割データファイルに基づいて、上記陳列棚の各棚段に装着されるストリップにおける複数のプライスカードの印刷位置を演算する印刷位置演算部と、上記印刷位置に基づいて、上記プライスカードストリップの印刷イメージファイルを生成する印刷イメージファイル生成部とを備えている。
【００１３】
ここで、上記第１及び第２の態様に係る装置において、上記印刷位置演算部は、ｎを自然数としたとき、上記陳列棚の一の棚段に第１の商品から第ｎの商品までのｎ個の商品が陳列される場合には、上記第１の商品に係るプライスカードは、上記ストリップの左端を印刷開始位置とし、上記第ｎの商品に係るプライスカードは、第ｎ−１の商品の印刷開始位置に第ｎ−１の商品の幅と仕切り板の幅との和だけ離れた位置を印刷開始位置としてよい。また、上記第１及び第２の態様に係る装置において、上記印刷位置演算部は、上記第１の商品から第ｎの商品の幅のうちの最小値が上記プライスカードの幅よりも大きい場合には、上記プライスカードのサイズを縮小してよい。
【００１４】
本発明の第３の態様に係るプライスカードストリップ生成システムは、第１及び第２の態様に係るプライスカードストリップ生成装置と、上記印刷イメージファイルに基づいて上記プライスカードストリップを印刷する印刷装置とを有する。
【００１５】
本発明の第４の態様に係るプライスカードストリップ生成方法は、陳列棚に各棚段に装着されるプライスカードストリップの生成方法であって、上記陳列棚に係る棚割データファイルを取得する第１のステップと、上記棚割データファイルに基づいて、上記陳列棚の各棚段に装着されるストリップにおける複数のプライスカードの印刷位置を演算する第２のステップと、上記印刷位置に基づいて、上記プライスカードストリップの印刷イメージファイルを生成する第３のステップとを有している。
【００１６】
ここで、上記第４の態様に係る方法において、上記第２のステップでは、ｎを自然数としたとき、上記陳列棚の一の棚段に第１の商品から第ｎの商品までのｎ個の商品が陳列される場合には、上記第１の商品に係るプライスカードは、上記ストリップの左端を印刷開始位置とし、上記第ｎの商品に係るプライスカードは、第ｎ−１の商品の印刷開始位置に第ｎ−１の商品の幅と仕切り板の幅との和だけ離れた位置を印刷開始位置としてよい。また、上記第４の態様に係る方法において、上記第２のステップでは、上記第１の商品から第ｎの商品の幅のうちの最小値が上記プライスカードの幅よりも大きい場合には、上記プライスカードのサイズを縮小してよい。
【００１７】
本発明の第５の態様に係るプログラムは、コンピュータが、陳列棚に係る棚割データファイルを取得する棚割データファイル取得部と、上記棚割データファイルに基づいて、上記陳列棚の各棚段に装着されるストリップにおける複数のプライスカードの印刷位置を演算する印刷位置演算部と、上記印刷位置に基づいて、プライスカードストリップの印刷イメージファイルを生成する印刷イメージファイル生成部として機能する。
【００１８】
本発明の第６の態様に係るプログラムは、コンピュータが、陳列棚に係る棚割データファイルを生成する棚割データファイル生成部と、上記棚割データファイルに基づいて、上記陳列棚の各棚段に装着されるストリップにおける複数のプライスカードの印刷位置を演算する印刷位置演算部と、上記印刷位置に基づいて、プライスカードストリップの印刷イメージファイルを生成する印刷イメージファイル生成部として機能する。
【００１９】
ここで、上記第５の態様及び第６の態様に係るプログラムにおいて、上記印刷位置演算部は、ｎを自然数としたとき、上記陳列棚の一の棚段に第１の商品から第ｎの商品までのｎ個の商品が陳列される場合には、上記第１の商品に係るプライスカードは、上記ストリップの左端を印刷開始位置とし、上記第ｎの商品に係るプライスカードは、第ｎ−１の商品の印刷開始位置に第ｎ−１の商品の幅と仕切り板の幅との和だけ離れた位置を印刷開始位置としてよい。また、上記第５の態様及び第６の態様に係るプログラムにおいて、上記印刷位置演算部は、上記第１の商品から第ｎの商品の幅のうちの最小値が上記プライスカードの幅よりも大きい場合には、上記プライスカードのサイズを縮小してよい。
【発明の効果】
【００２０】
本発明によれば、陳列棚の各段に陳列される複数種類の商品について、棚段ごとに棚割に従ったプライスカードストリップが生成可能なプラスカードストリップ生成装置、プライスカードストリップ生成方法、プライスカードストリップ生成システム、及びプログラムを提供することができる。
【図面の簡単な説明】
【００２１】
【図１】本発明の一実施形態に係るプライスカードストリップ生成装置、及びそれを用いたプライスカードストリップ生成システムの構成図である。
【図２】プログラムの改良例の機能を示す図である。
【図３】本発明の一実施形態に係るプライスカードストリップ生成装置が用いる棚割データファイルの一例を示す図である。
【図４】棚割データファイルに基づく表示例を示す図である。
【図５】本発明の一実施形態に係るプライスカードストリップ生成装置により生成されたプライスカードストリップの一例を示す図である。
【図６】本発明の一実施形態に係るプライスカードストリップ生成装置による処理の概要を示す図である。
【図７】棚割に関する各種パラメータを定義する概念図である。
【図８】本発明の一実施形態に係るプライスカードストリップ生成装置による処理手順を示すフローチャートである。
【発明を実施するための形態】
【００２２】
以下、図面を参照しつつ本発明の実施形態について説明する。
【００２３】
本発明の一実施形態に係るプラスカードストリップ生成装置、プライスカードストリップ生成方法、プライスカードストップ生成システム、及びプログラムは、棚１段（９０センチもしくは１２０センチ）分にある複数のプライスカードの情報を１枚の細い帯状紙に印刷することで、計画された棚割り（陳列位置）を実現し、陳列変更作業をより効率よく実行可能にするものである。そのために正確な陳列位置を設定できるようにし、陳列位置情報を基にプライスカードストリップ（以下、ＰＣストリップと称する）を印刷するための画像データを生成するものである。以下、詳述する。
【００２４】
図１には本発明の一実施形態に係るＰＣストリップ生成装置及びそれを用いたＰＣストリップ生成システムの構成を示し説明する。
【００２５】
同図に示されるように、ＰＣストリップ生成装置１は、ＣＰＵ等の制御部２を備えている。この制御部２は、通信部３、入力部４、操作部５、表示部６、記憶部７、出力部８と接続されている。通信部３は、インターネット等のネットワークを介して外部機器と通信を行うものである。入力部４は、インタフェースであり、外部機器からのデータファイルの入力を受け付けるものである。操作部５は、キーボードやマウス等の操作デバイスであり、各種操作を受けるものである。表示部６は、ＬＣＤ等の表示デバイスであり、各種表示を行うものである。記憶部７は、メモリやＨＤＤ（Hard Disc Device）であり、プログラム９を記憶していると共に、その実行時にはワークエリアを提供する。そして、出力部８は、インタフェースであり、外部機器へとデータファイルを出力する。
【００２６】
そして、制御部２は、記憶部７のプログラム９を読み出し実行することで、棚割データファイル取得部２ａ、印刷位置演算部２ｂ、印刷イメージファイル生成部２ｃ、表示制御部２ｄ、及び主制御部２ｅとして機能する。
【００２７】
このような構成において、通信部３又は入力部４を介して陳列棚に係る棚割データファイルが入力されると、棚割データファイル取得部２ａがこれを取得する。そして、印刷位置演算部２ｂが、棚割データファイルに基づいて、陳列棚の各棚段に装着されるストリップにおける複数のプライスカードの印刷位置を演算する。印刷イメージファイル生成部２ｃは、この演算により得られた印刷位置に基づいて、プライスカードストリップの印刷イメージファイルを生成する。表示制御部２ｄは、この印刷イメージファイルに基づく表示を表示部６に行うよう制御する。また、印刷イメージファイルは、出力部８を介して外部機器に出力される。例えば、この例では、外部機器としての印刷装置２０と接続されており、印刷装置２０によりプライスカードストリップが印刷され出力される。
【００２８】
更に具体的に説明すると、印刷位置演算部２ｂは、ｎを自然数としたとき、陳列棚の一の棚段に第１の商品から第ｎの商品までのｎ個の商品が陳列される場合には、第１の商品に係るプライスカードは、ストリップの左端を印刷開始位置とし、第ｎの商品に係るプライスカードは、第ｎ−１の商品の印刷開始位置に第ｎ−１の商品の幅と仕切り板の幅との和だけ離れた位置を印刷開始位置する。そして、印刷位置演算部２ｂは、第１の商品から第ｎの商品の幅のうちの最小値がプライスカードの幅よりも大きい場合には、プライスカードのサイズを縮小する。
【００２９】
このようなＰＣストリップ生成装置１と印刷装置２０により本実施形態に係るＰＣストリップ生成システム３０が構成される。
【００３０】
図２は、プログラムの変形例である。プログラム１０は、棚割データファイル取得部２ａに代えて棚割データファイル生成部２ｆを備えている。従って、このプログラム１０が実行されると、制御部２は、プライスカードストリップ生成部２ｆとしても機能し、入力部４又は通信部３から送られてきたマスタファイルに基づいて棚割データファイルを生成することになる。その後の処理は、プログラム９と同じであるので、重複した説明はここでは省略する。
【００３１】
図３には本発明の一実施形態に係るＰＣストリップ生成装置１が用いる棚割データファイルに含まれる棚割データの一例を示し説明する。
【００３２】
同図に示されるように、棚割データは、位置情報として、什器番号、棚番号、棚位置番号、及び陳列数のデータを有している。更に分類コードとして、部門、大分類、小分類のデータを有している。そして、ＪＡＮコード、商品名、パッケージサイズ（幅、高さ、奥行き）、陳列方向の各データを有している。
【００３３】
図４には棚割データファイルに基づく表示例を示し説明する。
【００３４】
同図に示されるように、棚割データファイルに基づく表示では、棚のイメージが示されると共に、棚の各段における陳列イメージが示される。縦方向、及び横方向には、スケールの表記も行っているので、表示中でおおよそのスケールを確認することも可能となっている。尚、この例では、商品ａから商品ｈまでの８種類の商品が陳列されているが、商品の間に仕切り板を設ける場合には、仕切り板の様子も示される。
【００３５】
図５には本発明の一実施形態に係るＰＣストリップ生成装置１により生成されたＰＣストリップの一例を示し説明する。これは、プライスカード生成装置１より出力された印刷イメージファイルに基づいて印刷装置２０が印刷出力をしたＰＣストリップである。
【００３６】
同図に示されるように、ＰＣストリップ４０の左端には、什器番号、棚段数（上から何段目か）、作成日、パターン名もしくは番号などの情報を配置した種別表記部４０ａを印刷する。棚への取り付けの際は種別表記部４０ａを内側に折り曲げるようになっている。種別表記部の右端からは、棚割りに従って、陳列される商品のプライスカードが表記されている。具体的には、プライスカードは、商品写真表記部４０ｂと商品説明部４０ｃとからなる。商品写真表記部４０ｂには陳列される商品の写真が表記される。そして、商品説明部４０ｃでは、商品名、値段、バーコードが対応付けられて表記される。隣に陳列される商品についても、これと同様に、商品写真表記部４０ｄと商品説明部４０ｃが表記されることになる。以下、同様に、各段の端まで、陳列される商品について、同種のプライスカードが表記される。以上は一例であって、商品説明部４０ｃには、特価情報や店長のお勧めコメントなど、種々の情報を表記することができる。
【００３７】
以下、図６を参照して、本発明の一実施形態に係るＰＣストリップ生成装置１による処理の概要を説明する。
【００３８】
同図に示されるように、商品マスタファイル５０、メーカーマスタファイル５１、商品分類マスタファイル５２の入力を受けると、外部機器又はＰＣストリップ生成装置１がプログラム１０に基づいて対象棚割作成処理を実行し、対象棚の棚割データファイル５３を生成し、出力する（＃１）。
【００３９】
そして、この棚割データファイル５３の入力を受けると、ＰＣストリップ生成装置１がプログラム９に基づいてＰＣストリップ出力処理を実行し、印刷イメージファイル５５を生成し、出力する（＃２）。このＰＣストリップ出力処理では、印刷位置情報ファイル５４を棚割データファイル５３と共に受けて、処理を実行することもできる。印刷イメージファイル５５は、印刷装置２０に出力され、ＰＣストリップが印刷出力される。
【００４０】
次に、図７のフローチャートを参照して、本発明の一実施形態に係るＰＣストリップ生成装置による処理手順を更に詳細に説明する。ここでは、図８の棚割に関する各種パラメータを定義する概念図を適宜参照する。
【００４１】
図８は、ある陳列棚の棚段における棚割のイメージを示している。この例では、ｍ（ｍは自然数）種類（この例では、ｍ＝５個）の商品が陳列される場合を例示している。そして、商品の種別か異なるところに仕切り板を介在させている。商品ｚ１の幅はａ１、商品ｚ２の幅はａ２、商品ｚ３の幅はａ３、商品ｚ４の幅はａ４、商品ｚ５の幅はａ５としている。１つの種類について幅方向に複数個の商品が横並びで陳列される場合には、商品1つ当たりの幅に個数を乗算したものを商品の幅ａ１〜ａｍと定義する。そして、仕切り板の幅はｂとし、各商品に対するプライスカードのサイズは共通でｃとしている。ＰＣストリップ全体の幅は棚段の左端から右端まででｄとしている。そして、ＰＣストリップにおける各商品ｚ１〜ｚ５に係る各プライスカードの印刷開始位置（座標）は、この例ではプライスカードの左端を基点としてｘ１〜ｘ５としている。
【００４２】
さて、図７の処理を開始すると、印刷位置演算部２ｂは、商品数をカウントするための変数ｎをイニシャライズ（ｎ＝０）して（Ｓ１）、ｎ＝０であるかを判断する（Ｓ２）。最初にステップＳ２に入ったときには、ｎ＝０であるので（Ｓ２をＹｅｓ）、印刷位置演算部２ｂは、ｘ１＝０とし（Ｓ３）、ｘ１の座標を記憶部７に記憶する（Ｓ４）。そして、印刷位置演算部２ｂは、変数ｎをインクリメント（ｎ＝ｎ＋１）してステップＳ２に戻る（Ｓ５）。
【００４３】
続いて、印刷位置演算部２ｂは、再びｎ＝０であるかを判断する（Ｓ２）。ここで、ｎ＝１であるので（Ｓ２をＮｏ）、印刷位置演算部２ｂは、商品ｚ２の印刷開始位置（座標）ｘ２を次式により求める（Ｓ６）。
ｘ２＝ｘ１＋ａ１＋ｂ
そして、印刷位置演算部２ｂは、ｘ２の座標を記憶部７に記憶し（Ｓ７）、変数ｎをインクリメント（ｎ＝ｎ＋１）して（Ｓ８）、ｎ＝ｍ（ｍは商品の種類数）であるか否かを判断する（Ｓ９）。ここでは、ｎは１であるので、ステップＳ２に戻る（Ｓ９をＮｏ）。
【００４４】
次に、上記同様の処理により、商品ｚ３、ｚ４、ｚ５の印刷開始位置（座標）ｚ３，ｘ４，ｘ５を求め（Ｓ２，Ｓ６，Ｓ７，Ｓ８）、ｎ＝５に至ったところで、ステップＳ９をＹｅｓに抜けることになる。
【００４５】
そして、印刷位置演算部２ｂは、ａ１〜ａｎ（ａ５）の中の最小値ａminを算出し（Ｓ１０）、プライスカードの幅ｃがａminよりも大きいか否かを判断する（Ｓ１１）。プライスカード幅ｃが最小値ａminよりも大きい場合（Ｓ１１をＹｅｓ）、プライスカードがはみ出し重なって印刷されるのを防止するために、プライスカードの幅ｃのサイズを縮小処理する（Ｓ１２）。一方、プライスカードの幅ｃが最小値ａminよりも大きくない場合には（Ｓ１１をＮｏ）、ステップＳ１３に移行する。
【００４６】
こうして、印刷イメージファイル生成部２ｃが、上記演算により得られた印刷開始位置（座標）ｘ１〜ｘ５やプライスカードの幅ｃ、ＰＢストリップの幅ｄ等に基づいて、印刷イメージデータファイルを生成する（Ｓ１３）。こうして、一連の処理を終了する。印刷イメージデータファイルは出力部８を介して印刷装置２０に出力され、当該印刷装置２０にてＰＣストリップの印刷がなされることになる。
【００４７】
以上のように生成された印刷イメージファイルに基づいて印刷されたＰＣストリップを用いて陳列を行う場合の手順は、次のようになる。先ず、第１に、ＰＣストリップに予め印刷された什器番号と棚番号に従って棚にＰＣストリップをとりつける。第２に、ＰＣストリップに合わせて仕切板を設置する。そして、第３に、ＰＣストリップにある商品を探し、その位置に商品を陳列する。
【００４８】
以上説明したように、本発明の一実施形態によれば、以下の効果が奏される。
【００４９】
顧客にとって最適な品揃えと棚割を計画通りに１００％実行できれば、欠品による機会損失や本来品揃えしておくべき商品の売場からの欠落（distribution voidと呼ばれる）が大幅に減少して、来店するお客の満足度を高めると同時に売上げと利益を最大化できる。
【００５０】
ＰＣストリップを使用すれば、おのずと陳列すべき商品はより明確になり、例外的な陳列ができなくなる。売場の標準化は、日常の発注や補充陳列作業の標準化と効率化につながり高い労働生産性とより高い売場販売効率を両立させる。
【００５１】
上述した陳列変更作業のプロセス変更によっても作業品質と作業効率は大幅に改善できる。具体的には以下の通りである。
・一旦ＰＣストリップを取り付けてしまえば、棚割図を見る必要がない。
・仕切板の取り付け位置の微調整、やり直しが発生しない。
・従来は、陳列は位置決めでフェイシングと同じ数量を取り出し、残りは陳列位置決定後に行っていたが、ＰＣストリップでは、まとめて一回で陳列ができる。また、従来は左から陳列位置を決めていく必要があったが、ＰＣストリップでは既に陳列位置は定められているので、手に取った商品から陳列することができる。
・一枚一枚取り付けていたプライスカードを棚に一枚のＰＣストリップを取り付けるだけになるので、プライスカード取り付け作業そのものが大幅に削減できる。
【００５２】
プライスカード部分の横に商品の写真を印刷することで陳列変更作業がより速く正確になる。同様に陳列作業も効率よく、間違いがなくなる。
【００５３】
プライスカード部分の横に商品情報を同時に印刷することで、よりお客に商品のよさや使い方など有用な情報を容易に提供できる。従来の方法では、プライスカードとは別にＰＯＰでそれを行っているが、別に作成し、取り付ける作業が発生する。しかし、ＰＣストリップではそれが不要になる。
【００５４】
ＰＣストリップではプライスカードの幅を棚割りデータから最適化できる。従来のプライスカードは、いくつかの大きさのプライスカードを用意しているものの、一部は、隣の商品のプライスカードに重なってしまう例がある。また、サイズの異なるプライスカードを陳列順に印刷することはできないため、プライスカードの大きさを変えるとプライスカードを貼付する作業に必要以上に時間がかかる。
【００５５】
以上、本発明の一実施形態について説明したが、本発明はこれに限定されることなく、その趣旨を逸脱しない範囲で種々の改良・変更が可能であることは勿論である。
【００５６】
例えば、プライスカードの幅ｃを商品種別ごとに異なる値としてもよい。
【符号の説明】
【００５７】
１  ＰＣストリップ生成装置
２  制御部
２ａ  棚割データファイル取得部
２ｂ  印刷位置演算部
２ｃ  印刷イメージファイル生成部
２ｄ  表示制御部
２ｅ  主制御部
３  通信部
４  入力部
５  操作部
６  表示部
７  記憶部
８  出力部
９  プログラム
１０  プログラム
２０  印刷装置
３０  ＰＣストリップ生成システム
【図１】
2017059118.tif 000003
【図２】
2017059118.tif 000004
【図３】
2017059118.tif 000005
【図４】
2017059118.tif 000006
【図５】
2017059118.tif 000007
【図６】
2017059118.tif 000008
【図７】
2017059118.tif 000009
【図８】
2017059118.tif 000010
【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
陳列棚に各棚段に装着されるプライスカードストリップの生成装置であって、
上記陳列棚に係る棚割データファイルを取得する棚割データファイル取得部と、
上記棚割データファイルに基づいて、上記陳列棚の各棚段に装着されるストリップにおける複数のプライスカードの印刷位置を演算する印刷位置演算部と、
上記印刷位置に基づいて、上記プライスカードストリップの印刷イメージファイルを生成する印刷イメージファイル生成部と、を備え、
上記印刷位置演算部は、ｎを自然数としたとき、上記陳列棚の一の棚段に第１の商品から第ｎの商品までのｎ個の商品が陳列される場合には、上記第１の商品に係るプライスカードは、上記ストリップの左端を印刷開始位置とし、上記第ｎの商品に係るプライスカードは、第ｎ−１の商品の印刷開始位置に第ｎ−１の商品の幅と仕切り板の幅との和だけ離れた位置を印刷開始位置する
プライスカードストリップ生成装置。
【請求項２】
上記印刷位置演算部は、上記第１の商品から第ｎの商品の幅のうちの最小値が上記プライスカードの幅よりも大きい場合には、上記プライスカードのサイズを縮小する
請求項１に記載のプライスカードストリップ生成装置。
【請求項３】
請求項１又は請求項２のいずれかに記載のプライスカードストリップ生成装置と、
上記印刷イメージファイルに基づいて上記プライスカードストリップを印刷する印刷装置と、を有するプライスカードストリップ生成システム。
【請求項４】
陳列棚に各棚段に装着されるプライスカードストリップの生成方法であって、
上記陳列棚に係る棚割データファイルを取得する第１のステップと、
上記棚割データファイルに基づいて、上記陳列棚の各棚段に装着されるストリップにおける複数のプライスカードの印刷位置を演算する第２のステップと、
上記印刷位置に基づいて、上記プライスカードストリップの印刷イメージファイルを生成する第３のステップと、を有し、
上記第２のステップでは、ｎを自然数としたとき、上記陳列棚の一の棚段に第１の商品から第ｎの商品までのｎ個の商品が陳列される場合には、上記第１の商品に係るプライスカードは、上記ストリップの左端を印刷開始位置とし、上記第ｎの商品に係るプライスカードは、第ｎ−１の商品の印刷開始位置に第ｎ−１の商品の幅と仕切り板の幅との和だけ離れた位置を印刷開始位置する
プライスカードストリップ生成方法。
【請求項５】
上記第２のステップでは、上記第１の商品から第ｎの商品の幅のうちの最小値が上記プライスカードの幅よりも大きい場合には、上記プライスカードのサイズを縮小する
請求項４に記載のプライスカードストリップ生成方法。
【請求項６】
コンピュータを、
陳列棚に係る棚割データファイルを取得する棚割データファイル取得部と、
上記棚割データファイルに基づいて、上記陳列棚の各棚段に装着されるストリップにおける複数のプライスカードの印刷位置を演算する印刷位置演算部と、
上記印刷位置に基づいて、プライスカードストリップの印刷イメージファイルを生成する印刷イメージファイル生成部と、して機能させ、
上記印刷位置演算部は、ｎを自然数としたとき、上記陳列棚の一の棚段に第１の商品から第ｎの商品までのｎ個の商品が陳列される場合には、上記第１の商品に係るプライスカードは、上記ストリップの左端を印刷開始位置とし、上記第ｎの商品に係るプライスカードは、第ｎ−１の商品の印刷開始位置に第ｎ−１の商品の幅と仕切り板の幅との和だけ離れた位置を印刷開始位置する
プログラム。
【請求項７】
上記印刷位置演算部は、上記第１の商品から第ｎの商品の幅のうちの最小値が上記プライスカードの幅よりも大きい場合には、上記プライスカードのサイズを縮小する
請求項６に記載のプログラム。
【手続補正２】
【補正対象書類名】明細書
【補正対象項目名】００１１
【補正方法】変更
【補正の内容】
【００１１】
上記課題を解決するために、本発明の第１の態様に係るプライスカードストリップ生成装置は、陳列棚に各棚段に装着されるプライスカードストリップの生成装置であって、上記陳列棚に係る棚割データファイルを取得する棚割データファイル取得部と、上記棚割データファイルに基づいて、上記陳列棚の各棚段に装着されるストリップにおける複数のプライスカードの印刷位置を演算する印刷位置演算部と、上記印刷位置に基づいて、上記プライスカードストリップの印刷イメージファイルを生成する印刷イメージファイル生成部と、を備え、上記印刷位置演算部は、ｎを自然数としたとき、上記陳列棚の一の棚段に第１の商品から第ｎの商品までのｎ個の商品が陳列される場合には、上記第１の商品に係るプライスカードは、上記ストリップの左端を印刷開始位置とし、上記第ｎの商品に係るプライスカードは、第ｎ−１の商品の印刷開始位置に第ｎ−１の商品の幅と仕切り板の幅との和だけ離れた位置を印刷開始位置する。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
ここで、上記第１の態様に係る装置において、上記印刷位置演算部は、上記第１の商品から第ｎの商品の幅のうちの最小値が上記プライスカードの幅よりも大きい場合には、上記プライスカードのサイズを縮小してよい。
【手続補正５】
【補正対象書類名】明細書
【補正対象項目名】００１４
【補正方法】変更
【補正の内容】
【００１４】
本発明の第２の態様に係るプライスカードストリップ生成システムは、第１の態様に係るプライスカードストリップ生成装置と、上記印刷イメージファイルに基づいて上記プライスカードストリップを印刷する印刷装置とを有する。
【手続補正６】
【補正対象書類名】明細書
【補正対象項目名】００１５
【補正方法】変更
【補正の内容】
【００１５】
本発明の第３の態様に係るプライスカードストリップ生成方法は、陳列棚に各棚段に装着されるプライスカードストリップの生成方法であって、上記陳列棚に係る棚割データファイルを取得する第１のステップと、上記棚割データファイルに基づいて、上記陳列棚の各棚段に装着されるストリップにおける複数のプライスカードの印刷位置を演算する第２のステップと、上記印刷位置に基づいて、上記プライスカードストリップの印刷イメージファイルを生成する第３のステップと、を有し、上記第２のステップでは、ｎを自然数としたとき、上記陳列棚の一の棚段に第１の商品から第ｎの商品までのｎ個の商品が陳列される場合には、上記第１の商品に係るプライスカードは、上記ストリップの左端を印刷開始位置とし、上記第ｎの商品に係るプライスカードは、第ｎ−１の商品の印刷開始位置に第ｎ−１の商品の幅と仕切り板の幅との和だけ離れた位置を印刷開始位置する。
【手続補正７】
【補正対象書類名】明細書
【補正対象項目名】００１６
【補正方法】変更
【補正の内容】
【００１６】
ここで、上記第３の態様に係る方法において、上記第２のステップでは、上記第１の商品から第ｎの商品の幅のうちの最小値が上記プライスカードの幅よりも大きい場合には、上記プライスカードのサイズを縮小してよい。
【手続補正８】
【補正対象書類名】明細書
【補正対象項目名】００１７
【補正方法】変更
【補正の内容】
【００１７】
本発明の第４の態様に係るプログラムは、コンピュータを、陳列棚に係る棚割データファイルを取得する棚割データファイル取得部と、上記棚割データファイルに基づいて、上記陳列棚の各棚段に装着されるストリップにおける複数のプライスカードの印刷位置を演算する印刷位置演算部と、上記印刷位置に基づいて、プライスカードストリップの印刷イメージファイルを生成する印刷イメージファイル生成部と、して機能させ、上記印刷位置演算部は、ｎを自然数としたとき、上記陳列棚の一の棚段に第１の商品から第ｎの商品までのｎ個の商品が陳列される場合には、上記第１の商品に係るプライスカードは、上記ストリップの左端を印刷開始位置とし、上記第ｎの商品に係るプライスカードは、第ｎ−１の商品の印刷開始位置に第ｎ−１の商品の幅と仕切り板の幅との和だけ離れた位置を印刷開始位置する。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
ここで、上記第４の態様に係るプログラムにおいて、上記印刷位置演算部は、上記第１の商品から第ｎの商品の幅のうちの最小値が上記プライスカードの幅よりも大きい場合には、上記プライスカードのサイズを縮小してよい。